(57)【特許請求の範囲】
【請求項１】
先羽根用駆動部材をセット位置で係止する第１係止部材と、後羽根用駆動部材をセット位置で係止する第２係止部材と、押動部と係止部とを有していて撮影時に電磁石による吸着保持力が解かれたとき第１ばねの付勢力によって作動し該押動部により前記後羽根用駆動部材の係止を解く解除部材と、第１被係止部と第２被係止部と抑止部とを有していてセット位置においては前記第１ばねの付勢力による前記解除部材の作動を該抑止部によって抑止し撮影時には第２ばねの付勢力によって作動し前記解除部材の抑止を解いてから前記先羽根用駆動部材の係止を解くレリーズ手段と、前記レリーズ手段の第１被係止部をセット位置で係止し撮影時において前記電磁石に通電されてからその係止を解く第３係止部材と、セット時において前記各駆動部材と前記レリーズ手段とを作動させて前記各係止部材に係止させると共に前記解除部材を作動させて前記電磁石に接触させ撮影に先だってセット作動の開始前位置に復帰させられるセット手段と、を備えていて、前記解除部材は、撮影時において前記電磁石によって所定の吸着保持力が得られなかったとき、前記レリーズ手段による抑止が解かれた後であって前記先羽根用駆動部材の係止が解かれる前に、前記レリーズ手段の第２被係止部を前記係止部によって係止するようにしたことを特徴とするカメラ用フォーカルプレンシャッタ。
【請求項２】
前記解除部材が、前記電磁石に吸着保持される鉄片部材を、緩衝ばねを介在させて取り付けており、セット時には、当初は前記セット手段によって作動され、途中からは前記レリーズ手段の抑止部によって作動されるようにしたことを特徴とする請求項１に記載のカメラ用フォーカルプレンシャッタ。
【請求項３】
露光時間を電気的に制御するモードと機械的に制御するモードに切り換えることの可能な切換手段と、前記後羽根用駆動部材をセット位置で係止し撮影時にはその係止を前記レリーズ手段によって解除される第４係止部材とを備えていて、前記切換手段が露光時間を電気的に制御するモードに設定されている場合には、撮影時において、前記レリーズ手段によって前記先羽根用駆動部材の係止が解かれた後であって前記解除部材が前記第１ばねの付勢力によって作動させられる前に、前記レリーズ手段が前記第４係止部材による前記後羽根用駆動部材の係止を解くようにし、前記切換手段が露光時間を機械的に制御するモードに設定されている場合には、前記切換手段が、前記第２係止部材を、前記後羽根用駆動部材を係止し得ない状態にしていることを特徴とする請求項１に記載のカメラ用フォーカルプレンシャッタ。
【請求項４】
前記切換手段が露光時間を電気的に制御するモードに設定されているときには、撮影時において、前記レリーズ手段が前記第４係止部材による前記後羽根用駆動部材の係止を解除した直後に、前記第２係止部材が前記後羽根用係止部材を係止するようにしたことを特徴とする請求項２に記載のカメラ用フォーカルプレンシャッタ。
【請求項５】
前記レリーズ手段と前記第１係止部材との間には複数の部材からなる解除手段が設けられていて、前記切換手段が露光時間を機械的に制御するモードに設定されているときには、前記第３係止部材による前記レリーズ手段の係止解除から前記第１係止部材による前記先羽根用駆動部材の係止解除までの時間を前記切換手段によって変え得るようにしたことを特徴とする請求項２又は３に記載のカメラ用フォーカルプレンシャッタ。
【発明の詳細な説明】
【０００１】
【発明の属する技術分野】
本発明は、撮影に際して、先羽根群と後羽根群とを同一方向へ順次作動させ、その二つの羽根群のスリット形成羽根によって形成されたスリットにより、露光を行うようにしたカメラ用のフォーカルプレンシャッタに関する。
【０００２】
【従来の技術】
最近のフォーカルプレンシャッタは、殆どのものが、先羽根群を作動させる先羽根用駆動部材と、後羽根群を作動させる後羽根用駆動部材とを備えていて、露光作動に際しては、それらの駆動部材の作動開始間隔を電気的に制御するようにしている。しかしながら、それらの駆動部材に露光作動を開始させる方法には二つの方法があり、その第１の方法は、両方の駆動部材とも電磁石に対する通電のオフ信号で行なわせるようにしたものであり、第２の方法は、先羽根用駆動部材の作動開始の方を機械的に行わせておき、後羽根用駆動部材の開始だけを電磁石に対する通電のオフ信号で行なわせるようにしたものである。そして、第２の方法を採用した場合には、露光時間を、電気的に制御して行なう撮影と、機械的に制御して行なう撮影とを、撮影者が予め選択することのできるシャッタとして構成する場合に有利である。
【０００３】
また、露光時間を電気的に制御するようにしたシャッタにとって致命的なことは、電源電池の電圧が所定の基準値を下回り（以下、消耗という）、適正な露光時間を制御できなくなることである。そのため、従来から、電池電圧が消耗した場合には、ファインダ等に警告表示を行なうようにしているが、撮影に熱中している場合には、そのような表示に気付くのが遅れてしまい、単にフィルムを無駄にしてしまうだけではなく、早く電池交換をしておけば可能であった撮影をも台無しにしてしまうということがあった。そこで、従来から、電池電圧が消耗したときには、カメラのレリーズボタンが押せなくなるようにしたり、また、電池電圧が消耗した場合でも機械的に制御される一つの露光時間でだけでは撮影できるようにしたものが知られている。
【０００４】
【発明が解決しようとする課題】
本発明は、先羽根用駆動部材の露光作動の開始を機械的に行わせ、且つ、後羽根用駆動部材の露光作動の開始を電磁石に対する通電のオフ信号で行なわせるようにし、電池電圧が消耗したときには、先羽根群も後羽根群も露光作動が自動的に行なえなくなるようにしたフォーカルプレンシャッタに関するものであり、特に、露光時間を電気的に制御する撮影モードと機械的に制御する撮影モードとを選択して撮影できるようにしたカメラ用として構成すると、一段と好適となるフォーカルプレンシャッタに関するものである。
【０００５】
ところで、電池電圧が消耗したとき、露光作動が行なえなくなるようにする場合には、カメラのレリーズボタンを押せなくなるようにすることが、先ず考えられる。しかし、そのようにするためには、レリーズボタンのロック機構を、レリーズボタンの近傍位置に配置することが要求される。そして、そのようなロック機構を設ける場合には、通常、電池電圧の検出信号によってロック機構を作動させるために、特別な電磁石が必要になるという問題点がある。また、ロック機構の構成部材を、ファインダ光学系や電子回路部品で充満しているカメラの上方位置に収容しなければならないというレイアウト上の問題点もある。更に、その場合、上記の電磁石の役目を、後羽根用駆動部材の作動開始を制御する電磁石で兼用させることが考えられるが、そのようにするためには、シャッタユニット内に組み付けられている電磁石と、レリーズボタンの近傍位置においてシャッタ本体側に組み付けられているロック機構との連動構成が面倒になってしまうという問題点が生じてしまう。
【０００６】
本発明は、このような問題点を解決するためになされたものであり、その目的とするところは、先羽根用駆動部材の作動開始を機械的に行わせておき、後羽根用駆動部材の開始だけを電磁石に対する通電のオフ信号で行なわせるようにしたフォーカルプレンシャッタであって、電池電圧が消耗したときには、その電磁石による吸着保持力を検出信号として、撮影に際して先羽根用駆動部材の作動を開始させるべく作動している部材を停止させるようにした、セット作動を好適に行なえる構成のカメラ用フォーカルプレンシャッタを提供することである。
【０００７】
【課題を解決するための手段】
上記の目的を達成するために、本発明のカメラ用フォーカルプレンシャッタは、先羽根用駆動部材をセット位置で係止する第１係止部材と、後羽根用駆動部材をセット位置で係止する第２係止部材と、押動部と係止部とを有していて撮影時に電磁石による吸着保持力が解かれたとき第１ばねの付勢力によって作動し該押動部により前記後羽根用駆動部材の係止を解く解除部材と、第１被係止部と第２被係止部と抑止部とを有していてセット位置においては前記第１ばねの付勢力による前記解除部材の作動を該抑止部によって抑止し撮影時には第２ばねの付勢力によって作動し前記解除部材の抑止を解いてから前記先羽根用駆動部材の係止を解くレリーズ手段と、前記レリーズ手段の第１被係止部をセット位置で係止し撮影時において前記電磁石に通電されてからその係止を解く第３係止部材と、セット時において前記各駆動部材と前記レリーズ手段とを作動させて前記各係止部材に係止させると共に前記解除部材を作動させて前記電磁石に接触させ撮影に先だってセット作動の開始前位置に復帰させられるセット手段と、を備えていて、前記解除部材は、撮影時において前記電磁石によって所定の吸着保持力が得られなかったとき、前記レリーズ手段による抑止が解かれた後であって前記先羽根用駆動部材の係止が解かれる前に、前記レリーズ手段の第２被係止部を前記係止部によって係止するようにする。
【０００８】
また、本発明のカメラ用フォーカルプレンシャッタにおいては、前記解除部材が、前記電磁石に吸着保持される鉄片部材を、緩衝ばねを介在させて取り付けており、セット時には、当初は前記セット手段によって作動され、途中からは前記レリーズ手段の抑止部によって作動されるようにすると、前記電磁石に対して接離を行なわせる構成として極めて好適となる。
【０００９】
また、本発明のカメラ用フォーカルプレンシャッタにおいては、露光時間を電気的に制御するモードと機械的に制御するモードに切り換えることの可能な切換手段と、前記後羽根用駆動部材をセット位置で係止し撮影時にはその係止を前記レリーズ手段によって解除される第４係止部材とを備えていて、前記切換手段が露光時間を電気的に制御するモードに設定されている場合には、撮影時において、前記レリーズ手段によって前記先羽根用駆動部材の係止が解かれた後であって前記解除部材が前記第１ばねの付勢力によって作動させられる前に、前記レリーズ手段が前記第４係止部材による前記後羽根用駆動部材の係止を解くようにし、前記切換手段が露光時間を機械的に制御するモードに設定されている場合には、前記切換手段が、前記第２係止部材を、前記後羽根用駆動部材を係止し得ない状態にしているようにすると、露光時間を機械的に制御する撮影モードの選択が可能になり、且つ電池が消耗している場合には、電池を交換しなくても、撮影を続けることが可能になる。
【００１０】
その場合、前記切換手段が露光時間を電気的に制御するモードに設定されているときには、撮影時において、前記レリーズ手段が前記第４係止部材による前記後羽根用駆動部材の係止を解除した直後に、前記第２係止部材が前記後羽根用係止部材を係止するようにすると、第２係止部材と第４係止部材とを同軸上で回転可能に構成しても切換え作動が確実に行なえるようになる。
【００１１】
更に、その場合、前記レリーズ手段と前記第１係止部材との間には複数の部材からなる解除手段が設けられていて、前記切換手段が露光時間を機械的に制御するモードに設定されているときには、前記第３係止部材による前記レリーズ手段の係止解除から前記第１係止部材による前記先羽根用駆動部材の係止解除までの時間を前記切換手段によって変え得るようにすると、機械的に制御する露光時間を複数の中から選択することが可能になる。
【００１２】
【発明の実施の形態】
本発明の実施の形態を、図１〜図１３に示した実施例によって説明するが、この実施例は、露光時間を電気的に制御させる場合と機械的に制御させる場合とを選択して撮影することができるようにしたフォーカルプレンシャッタである。尚、図１はカメラに組み込まれた状態において被写体側から視た場合の略左半分だけを示した平面図であって、露光作動の終了直後の状態を示したものであり、図２〜図１３は、本実施例の要部の構成だけを被写体側から視た場合の平面図である。また、図示されている部材、部位の説明に当たっては、被写体側を表面側と称し、フィルム面側を背面側と称することにする。
【００１３】
先ず、露光作動終了直後の状態を示した図１〜図３を用いて、本実施例の構成を説明する。シャッタ地板１には、その略中央部に長方形を横長にした開口部１ａが形成されているが、図１においてはその左側の一部が示されている。また、周知のように、シャッタ地板１の背面側には、所定の間隔を空けて、図示していない中間板と補助地板が順に取り付けられており、シャッタ地板１と中間板との間に先羽根群の羽根室を形成し、中間板と補助地板との間に後羽根群の羽根室を形成している。更に、それらの中間板と補助地板にも、開口部１ａと類似の開口部が形成されていて、通常は、それらの開口部を重ね合わせて露光開口を規制するようにしているが、本実施例においては、開口部１ａの形状が露光開口を規制しているものとする。
【００１４】
シャッタ地板１には、開口部１ａの左側に、円弧状の二つの長孔１ｂ，１ｃが形成されている。そして、それらの長孔１ｂ，１ｃの上方端面には、平面形状がＣ字状をした周知のゴム製の緩衝部材が取り付けられているが、本実施例においては、それらの緩衝部材の図示を省略してある。また、シャッタ地板１の表面側には、軸１ｄ，１ｅ，１ｆ，１ｇ，１ｈ，１ｉ，１ｊ，１ｋ，１ｍが立設されていて、背面側には軸１ｎ，１ｐ，１ｑ，１ｒが立設されている。それらのうち、軸１ｍは図２においてのみ示しており、軸１ｎ，１ｐ，１ｑ，１ｒは図１においてのみ示してある。また、軸１ｄと軸１ｎ、及び軸１ｅと軸１ｐは、同心的に配置されている。
【００１５】
上記の軸１ｄには、先羽根用駆動部材２が回転可能に取り付けられている。この先羽根用駆動部材２は、合成樹脂製であって、被押動部２ａと、駆動ピン２ｂと、係合部２ｃとを有していて、図示していない周知の先羽根用駆動ばねによって反時計方向へ回転するように付勢されている。また、駆動ピン２ｂは、先羽根用駆動部材２の背面側に立設されていて、シャッタ地板１の長孔１ｂを貫通しており、図１に示された状態においては、長孔１ｂに取り付けられた上記の図示していない緩衝部材に当接している。
【００１６】
また、シャッタ地板１の軸１ｅには、合成樹脂製の後羽根用駆動部材３が回転可能に取り付けられている。この後羽根用駆動部材３は、被押動部３ａと、駆動ピン３ｂと、折曲部３ｃとを有していて、図示していない周知の後羽根用駆動ばねによって反時計方向へ回転するように付勢されている。そして、駆動ピン３ｂは、後羽根用駆動部材３の背面側に立設されていて、シャッタ地板１の長孔１ｃを貫通しており、図１に示された状態においては、長孔１ｃに取り付けられた上記の図示していない緩衝部材に当接している。
【００１７】
次に、シャッタ地板１の背面側に配置されている先羽根群と後羽根群の構成を説明するが、本実施例における先羽根群と後羽根群は、何れも周知の構成をしているため、図１においてのみ示し、しかも、一部の構成だけを示している。そこで、通常の説明の場合とは順序が逆になるが、先ずは、後羽根群の構成から説明する。本実施例の後羽根群は、シャッタ地板１の軸１ｐ，１ｒに対して回転可能に取り付けられた二つのアーム４，５と、それらの先端部に向けて順に枢支された４枚の羽根６，７，８，９で構成されていて、アーム４，５の先端部に枢支された羽根９がスリット形成羽根となっている。そして、アーム４に形成された孔には後羽根用駆動部材３の駆動ピン３ｂが嵌合している。
【００１８】
また、先羽根群の構成は、実質的には後羽根群を裏返しにして配置した構成をしており、シャッタ地板１の軸１ｎ，１ｑに対して回転可能に取り付けられた二つのアーム１０，１１と、それらの先端部に向けて順に枢支された図示していない４枚の羽根で構成され、アーム１０，１１の先端部に枢支した羽根をスリット形成羽根としている。また、アーム１０に形成された孔には先羽根用駆動部材２の駆動ピン２ｂが嵌合していて、アーム１０は先羽根用駆動部材２と一緒に回転するようになっている。そのため、図１の状態では、図示していない４枚の羽根が重畳状態となって、開口部１ａの上方位置に格納されていることになる。
【００１９】
次に、上記した先羽根用駆動部材２と後羽根用駆動部材３のほかに、シャッタ地板１の表面側に配置されている構成部材を順次説明するが、その前に、先ず、それらの部材を取り付けるための骨格となっている構成について説明をしておく。シャッタ地板１には、所定の間隔を空けて、図３に示された支持板１２が取り付けられているが、その取り付けは、上記した軸１ｆ，１ｇ，１ｈに対して、ビス１３，１４，１５を用いて行なわれている。そのうち、ビス１４は、その頭部とねじ部の間の円筒部１４ａが、ねじ部の径よりも大きく形成されていて、頭部と支持板１２との間に所定の間隔が得られるようにし、且つその周面が後述の係止部材３７のストッパの役目をするようになっている。更に、軸１ｇもストッパの役目をするようになっていて、シャッタ地板１側に大径部を形成している。
【００２０】
また、支持板１２は、その表面側に軸１２ａ，１２ｂ，１２ｃ，１２ｄ，１２ｅ，１２ｆを立設し、背面側には軸１２ｇ，１２ｈ，１２ｉを立設しているが、それらのうち、軸１２ｇ，１２ｈは、図１及び図２に示されている。そして、軸１２ｂ，１２ｃ，１２ｄには、支持板１２との間に所定の間隔を空けて、図示していない第２の支持板とプリント配線板とが重ねて取り付けられている。更に、支持板１２と、図示していない第２の支持板との間において、軸１２ｂと１２ｆに対し、取付け板１６が取り付けられ、支持板１２との間に所定の間隔が空けられている。尚、図示していないが、軸１２ｂには、支持板１２と取付け板１６との間のスペーサの役目をする部材が取付けられており、その部材は軸１２ｆを中心とした取付け板１６の回転を規制するようにもなっている。
【００２１】
そこで、主に、シャッタ地板１と支持板１２との間に配置されている部材の取付け構成を説明する。シャッタ地板１の軸１ｋには、第１セット部材１７が回転可能に取り付けられていて、図示していないばねによって反時計方向へ回転するように付勢されているが、図１においては、その回転を軸１ｇによって阻止されている。また、この第１セット部材１７は、被押動部１７ａと、押動部１７ｂと、ピン１７ｃと、ピン１７ｄとを有していて、表面側に設けられたピン１７ｃは、支持板１２に形成されている円弧状の長孔１２ｊを貫通し、先端を支持板１２の表面側に突き出させている。更に、背面側に設けられたピン１７ｄは、その先端面が、後羽根用駆動部材３の表面側に設けられている被押動部３ａの先端面よりも支持板１２側となっていて、両者は干渉しないようになっている。
【００２２】
図２に示すように、シャッタ地板１の軸１ｍには、第２セット部材１８が回転可能に取り付けられていて、図示していないばねによって時計方向へ回転するように付勢されているが、その回転は、被押動部１８ａが第１セット部材１７のピン１７ｄに接触することによって阻止されている。また、この第２セット部材１８は、二つの押動部１８ｂ，１８ｃを有していて、押動部１８ｂは、先羽根用駆動部材２の被押動部２ａを押し、押動部１８ｃは、後羽根用駆動部材３の被押動部３ａを押し得るようになっている。更に、この第２セット部材１８は、上記した第１セット部材１７と共に、本発明のセット手段を構成しているものであり、本実施例の場合には、他の構成部材とのレイアウトの関係で別部材としているが、全体の構成次第では一つの部材とすることも可能である。尚、この第２セット部材１８については、図面を見易くするために、図２以外の図面においては省略されている。
【００２３】
シャッタ地板１の軸１ｉには、係止部材１９が回転可能に取り付けられていて、図示していないばねによって反時計方向へ回転するように付勢されている。この係止部材１９は、先羽根用駆動部材２をセット位置に保持しておくための部材であって、上記した先羽根用駆動部材２の係合部２ｃを係止するための折曲部１９ａのほか、後述する第３解除部材２２のピン２２ｂによって押される被押動部１９ｂを有している。そして、この係止部材１９は、第２セット部材１８と第３解除部材２２との間で作動するように配置されていて、その反時計方向への回転は、被押動部１９ｂが第３解除部材２２のピン２２ｂに接触して阻止されるようになっている。
【００２４】
支持板１２の背面側に立設された軸１２ｈには、第１解除部材２０が回転可能に取り付けられていて、図示していないばねによって時計方向へ回転するように付勢されている。また、この第１解除部材２０の先端部には、第２解除部材２１を回転可能に取り付ける軸部２０ａが設けられ、その軸部２０ａの先端には同心的に規制ピン２０ｂが設けられている。そして、その規制ピン２０ｂは、支持板１２に形成された孔１２ｋを貫通し、支持板１２の表面側に突き出ている。また、第２解除部材２１は、表面側にピン２１ａを有していて、背面側にピン２１ｂを有しているが、ピン２１ａは、支持板１２に形成された孔１２ｍを貫通し、支持板１２の表面側に突き出ている。尚、支持板１２の孔１２ｋ，１２ｍは、図３のみに示してあり、他の図面の支持板１２においては省略されている。
【００２５】
支持板１２の背面側に立設された軸１２ｇには、第３解除部材２２が回転可能に取り付けられていて、図示していないばねによって反時計方向へ回転するように付勢されている。また、この第３解除部材２２には、第２解除部材２１のピン２１ｂを嵌合させた長孔２２ａと、係止部材１９の被押動部１９ｂを押すピン２２ｂと、先端部に形成された当接部２２ｃとが設けられており、その当接部２２ｃは、支持板１２の背面側に設けられたストッパ１２ｎに当接し得るようになっている。尚、図示していない夫々のばねによって、第１解除部材２０が時計方向へ回転するように付勢され、第３解除部材２２が反時計方向へ回転するように付勢されているにもかかわらず、三つの解除部材２０，２１，２２が、露光作動終了直後においては、何故このような状態を維持されているかについては、いずれ以後の説明で明らかにする。
【００２６】
シャッタ地板１の軸１ｊには、二つの係止部材２３，２４が回転可能に取り付けられていて、図示していない夫々のばねによって反時計方向へ回転するように付勢されている。それらのうち、シャッタ地板１側に配置されている係止部材２３は、電子回路によって露光時間を制御して撮影するとき、露光作動を開始させるまで後羽根用駆動部材３をセット位置に保持しておくための部材であって、上記した後羽根用駆動部材３の折曲部３ｃを係止するための係止部２３ａと、軸１ｇに当接する当接部２３ｂと、二つの折曲部２３ｃ，２３ｄと、軸１ｈに当接する当接部２３ｅとを有している。そして、折曲部２３ｃは、支持板１２に形成された大きな孔１２ｐを貫通して、先端部を支持板１２の表面側に突き出している。
【００２７】
また、支持板１２側に配置されているもう一方の係止部材２４は、撮影者の選択によって露光時間を機械的に制御して撮影を行なうときに、露光作動を開始させるまで、後羽根用駆動部材３をセット位置に保持しておくための部材であって、上記した後羽根用駆動部材３の折曲部３ｃを係止するための係止部２４ａと、軸１ｇに当接する当接部２４ｂと、折曲部２４ｃとを有している。そして、折曲部２４ｃは、支持板１２に形成された孔１２ｑを貫通して、先端部を支持板１２の表面側に突き出している。
【００２８】
支持板１２の背面側には、電磁石２５が取り付けられている。この電磁石２５は、鉄芯２５ａに二つの磁極部が形成されていて、一方の磁極部に、ボビンに巻かれたコイル２５ｂが嵌装されている。また、鉄芯２５ａには、孔２５ｃと、ねじ孔２５ｄとが形成されていて、図３に示すように、支持板１２のピン１２ｒに孔２５ｃを嵌合させ、ビス２６をねじ孔２５ｄに螺合させて取り付けられている。
【００２９】
更に、支持板１２の背面側に立設された軸１２ｉには、合成樹脂製の第４解除部材２７が回転可能に取り付けられていて、図示していないばねによって反時計方向へ回転するように付勢されている。そして、この第４解除部材２７の一方の腕部には、押動部２７ａと係止部２７ｂとが重なるようにして形成されており、上記のばねの付勢力の方が、係止部材２３を付勢しているばねの付勢力よりも大きいため、押動部２７ａが折曲部２３ｄを押して係止部材２３を時計方向へ回転させ、図１の状態が維持されている。また、係止部２７ｂは厚く形成されていて、支持板１２の孔１２ｐを貫通し、支持板１２の表面側にも突き出ている。
【００３０】
また、第４解除部材２７の他方の腕部には、凹部２７ｃが形成されていて、そこに、鉄片部材２８が取り付けられている。この鉄片部材２８の取付け構成は周知であるが、一応、簡単に説明をしておく。鉄片部材２８は、鉄片部２８ａと、軸部２８ｂと、頭部２８ｃとで構成されていて、後述の説明からも分かるように、緩衝用のばね２９が、鉄片部２８ａを凹部２７ｃから押し出すように付勢している。従って、第４解除部材２７に対する鉄片部材２８の相対位置は、ばね２９を介して、変わるようになっているが、図１〜図３においては、鉄片部材２８の頭部２８ｃが第４解除部材の腕部に接触して規制されている。更に、第４解除部材２７の他方の腕部には、図３に示されている（図１及び図２においては省略されている）ような被押動部２７ｄが形成されている。そして、この被押動部２７ｄは、支持板１２の表面側にまで延伸している。
【００３１】
次に、主に、図３を用いて、支持板１２の表面側にある部材，部位について説明する。支持板１２に立設されている軸１２ｄには、カム盤３０と切換盤３１とが一体的に回転できるようにして取り付けられている。このカム盤３０と切換盤３１は、撮影者によって回転され、図示していないクリック機構等によって、夫々の回転位置が位置決めされるようになっている。また、カム盤３０の周面には、軸１２ｄまでの寸法が異なる複数段のカム面３０ａが形成されており、切換盤３１の周面には、凹面３１ａが形成されている。そして、カム盤３０のカム面３０ａには、既に説明した第１解除部材２０の規制ピン２０ｂが接触するようになっている。従って、第１解除部材２０は、図示していないばねによって時計方向へ回転するように付勢されているにもかかわらず、図１及び図２に示された状態を保たされていることになる。
【００３２】
支持板１２に立設されている軸１２ａには、切換部材３２が回転可能に取り付けられている。この切換部材３２は、指部３２ａと軸部３２ｂとを有していて、図示していないばねによって、反時計方向へ回転するように付勢されており、指部３２ａを切換盤３１の周面に常に接触させている。また、軸部３２ｂには、切換操作部材３３の一端が回転可能に取り付けられている。そして、その切換操作部材３３は、第４解除部材２７の被押動部２７ｄを押す押動部３３ａと、係止部材２３の折曲部２３ｃに係合する折曲部３３ｂと、支持板１２のピン１２ｓに嵌合させた長孔３３ｃとを有している。
【００３３】
支持板１２に立設されている軸１２ｅには、第１レリーズ盤３４と駆動盤３５とが一体的に回転できるようにして取り付けられており、図示していないばねによって、時計方向へ回転するように付勢されている。また、第１レリーズ盤３４は、歯部３４ａとカム面３４ｂとを有しており、駆動盤３５は、係合部３５ａと、ピン３５ｂと、当接部３５ｃとを有していて、その当接部３５ｃが支持板１２のストッパ１２ｔに当接して停止させられている。そして、第１レリーズ盤３４のカム面３４ｂには、既に説明した第２解除部材２１のピン２１ａが接触するようになっている。従って、第３解除部材２２は、図示していないばねによって反時計方向へ回転するように付勢されているが、ピン２１ｂと長孔２２ａとの嵌合によって第２解除部材２１に連結されているため、当接部２２ｃをストッパ１２ｎに当接させるまで回転することができず、図１及び図２に示した状態が維持されている。
【００３４】
支持板１２に立設されている軸１２ｆには、第２レリーズ盤３６が回転可能に取り付けられている。そして、この第２レリーズ盤３６は、第１レリーズ盤３４の歯部３４ａに噛合する歯部３６ａと、係止部材２４の折曲部２４ｃに接触し得るカム面を形成したカム孔３６ｂと、係合部３６ｃと、抑止部３６ｄと、被押動部３６ｅとを有している。そして、軸１２ｆの中心から係合部３６ｃの先端までの寸法は、軸１２ｆの中心から抑止部３６ｄの周面（抑止面）までの寸法よりも若干小さくなるように形成されている。また、取付け板１６の背面側には軸１６ａが立設されており、その軸１６ａには、係止部材３７が回転可能に取り付けられていて、図示していないばねによって、反時計方向へ回転するように付勢されている。そして、この係止部材３７は、駆動盤３５の係合部３５ａを係止するための係止部３７ａと、ビス１４の円筒部１４ａに当接する当接部３７ｂと、被押動部３７ｃとを有している。
【００３５】
既に説明したように、支持板１２の軸１２ａ，１２ｂ，１２ｃには、図示していない第２の支持板が取り付けられているが、その第２の支持板には、支持板１２に向けて軸３８が立設されており、その軸３８には二つの腕部３９ａ，３９ｂを有するトリガー部材３９が回転可能に取り付けられ、図示していないばねによって、反時計方向へ回転するように付勢されている。また、第２の支持板には、接点部材４０が、その偏心軸４０ａによって取り付けられており、トリガー部材３９の腕部３９ｂが接触し得るようになっている。
【００３６】
次に、本実施例の作動を説明するが、既に説明したように、本実施例のフォーカルプレンシャッタは、露光時間を、電気的に制御することも、機械的に制御することもできる。そこで、最初に、電気的に制御する場合についての作動を説明する。その場合には、先ず、撮影者は、カム盤３０と切換盤３１を回転させ、図３に示された状態にしておく必要がある。そして、この状態においては、切換部材３２の指部３２ａが、切換盤３１の凹面３１ａに接触しているため、切換操作部材３３は、支持板１２のピン１２ｓに案内されて下方へ移動させられており、押動部３３ａが第４解除部材２７の被押動部２７ｄから離され、且つ折曲部３３ｂが係止部材２３の折曲部２３ｃから離された状態となっている。
【００３７】
また、図１〜図３は、露光作動終了直後の状態を示しているため、図１に示すように、先羽根用駆動部材２の駆動ピン２ｂは、長孔１ｂの上端部に取り付けられた図示していない緩衝部材に当接しており、先羽根群の４枚の羽根は重畳されて開口部１ａの上方位置に格納されている。また、後羽根用駆動部材３の駆動ピン３ｂは、長孔１ｃの上端部に取り付けられた図示していない緩衝部材に当接しており、後羽根群の４枚の羽根６，７，８，９は展開されて、開口部１ａを覆っている。他方、このとき、図３に示されているように、係止部材３７は、図示していないカメラ側の部材によって被押動部３７ｃを押され、図示していないばねの付勢力に抗して時計方向へ回転させられた状態となっているが、撮影者がカメラのレリーズボタンに対する押圧力を解くと、被押動部３７ｃに対する力も解かれ、係止部３７ａを駆動盤３５の周面に接触させた状態となる。
【００３８】
そして、そのように、撮影者がレリーズボタンに対する押圧力を解いた後に、巻き上げ機構によってフィルムの巻き上げが行われると、それに連動してシャッタのセット作動が行なわれるが、その場合には、第１セット部材１７の被押動部１７ａが、図示していないカメラ側の部材によって、図２において矢印で示す方向へ押されることになる。それによって、第１セット部材１７は、図示していないばねの付勢力に抗して時計方向へ回転させられるが、その回転によって、押動部１７ｂと、ピン１７ｃと、ピン１７ｄとによって、並行した別々の経路のセット作動を行なうことになる。
【００３９】
そこで、先ず、押動部１７ｂとピン１７ｃとによって行なわれるセット作動を説明する。第１セット部材１７が上記のようにして時計方向へ回転を開始すると、そのピン１７ｃが被押動部３６ｅを押して第２レリーズ盤３６を時計方向へ回転させ、それに連動して第１レリーズ盤３４と駆動盤３５とを図示していないばねの付勢力に抗して反時計方向へ回転させる。そして、第２レリーズ盤３６の係合部３６ｃが第４解除部材２７の係止部２７ｂに接近してくる過程において、第１セット部材１７の押動部１７ｂが第４解除部材２７の係止部２７ｂを押し始め、第４解除部材２７を時計方向へ回転させていく。そのため、係合部３６ｃは係止部２７ｂに接触することなく行き過ぎて行く。また、その間における第４解除部材２７の回転は、係止部２７ｂに係合部３６ｃを接触させないようにするための非常に僅かなものである。
【００４０】
そのため、係止部２７ｂには、係合部３６ｃが行き過ぎた後に、抑止部３６ｄが接近してきて、その傾斜面の一部が係止部２７ｂに接触するようになる。他方、その段階になると、第１セット部材１７の押動部１７ｂは、もはや、第４解除部材２７を回転させることはできず、単に、摺接しているだけの状態になっているため、抑止部３６ｄが接触してからは、押動部１７ｂに代わって、抑止部３６ｄが係止部２７ｂを押し、係止部２７ｂが抑止部３６ｄの抑止面（軸１２ｆからの同一半径面）と接触するようになるまで、第４解除部材２７を時計方向へ回転させ、鉄片部材２８の鉄片部２８ａを電磁石２５の鉄芯２５ａに接触させる。
【００４１】
また、このようにして、電磁石２５に鉄片部材２８を接触させるべく、第４解除部材２７が時計方向へ回転させられていく過程で、その押動部２７ａが折曲部２３ｄから退いていくので、係止部材２３は、当接部２３ｂが軸１ｇの大径部に当接するまで、図示していないばねの付勢力によって反時計方向へ回転し、係止部２３ａを折曲部３ｃの作動軌跡内に臨ませる。他方、第２レリーズ盤３６の回転によって、カム孔３６ｂのカム面による折曲部２４ｃに対する押圧力が解かれていくので、係止部材２４は、図示していないばねの付勢力によって反時計方向へ回転され、当接部２４ｂが軸１ｇに当接することによって停止する。それによって、係止部２４ａが折曲部３ｃの作動軌跡内に臨んだことになる。尚、本実施例においては、係止部材２３の当接部２３ｂを軸１ｇの大径部に当接させるようにしているが、それは、係止部材２３の形状と係止部材２４の形状とを区別し易くさせるためであって、機構上は特に意味があるわけではない。
【００４２】
ここで、第４解除部材２７のセット作動について若干の説明をしておく。第４解除部材２７の時計方向の回転は、上記のようにして、係止部２７ｂが抑止部３６ｄの抑止面に接触した状態で停止する。そして、その状態においては、鉄片部材２８の鉄片部２８ａが電磁石２５の鉄芯２５ａに好適に接触している。即ち、鉄芯２５ａの吸着面と鉄片部２８ａの被吸着面が密接状態になっている。しかしながら、上記のようにして、係止部２７ｂが抑止部３６ｄの抑止面と接触するようになった瞬間に、このような密接状態が同時に得られるようにすることは、製作上、至難である。そこで、そのような密接状態が得られた後に、第４解除部材２７の回転を停止させ得るようにするために、ばね２９を介在させているわけである。従って、その間、鉄片部２８ａは、ばね２９を緊張させながら取付部内に押し込まれ、反対側から軸部２８ｂを露出させていくことになる。
【００４３】
ところが、そのように、第４解除部材２７と鉄片部材２８との相対位置関係が変えられる構成にせざるを得ないとしても、その相対位置が大きく変えられてしまうようなことがあっては、機構的に好ましくない。そこで、本実施例の場合には、第４解除部材２７の時計方向へのセット作動を、最初は第１セット部材１７の押動部１７ｂによって行なわせ、途中からは、第２レリーズ盤３６の抑止部３６ｄによって行なわせることにより、そのような相対位置関係のずれを最小限で済むようにしている。もし、そのような配慮を必要としない場合には、本実施例のようにせず、第１セット部材１７が、最初から最後まで第４解除部材２７を回転させるようにすればよいわけである。そして、本発明は、そのようにした場合も含んでいる。
【００４４】
しかしながら、そのようにした場合には、後述の説明からもわかるように、セット完了状態においては、係止部２７ｂを抑止部３６ｄの抑止面に接触させておく必要があることから、製作上の許容公差の関係があって、どうしても、本実施例の場合よりも、第４解除部材２７を大きく回転させざるを得なくなってしまう。そして、その後、第１セット部材１７による押圧が解かれたとき、若干反時計方向へ回転し、係止部２７ｂを抑止部３６ｄに抑止された状態となる。従って、本実施例の場合が、上記のずれを必要最小限にしているということになる。尚、ここでは、鉄片部材２８が、実施例のようにして取り付けられている場合のことを説明したが、本発明は、そのような構成に限定されるものではなく、ばね２９を介在させていない場合にも、鉄片部材２８を第４解除部材２７に固定させている場合にも、適用されるものである。
【００４５】
更に、上記のことから、第４解除部材２７のセット作動については、第２レリーズ盤３６によってのみ行なわせることも考えられる。そして、その場合には、第４解除部材２７は、本実施例のように、最初から最後まで時計方向へ回転するのではなく、最初は、係止部２７ｂが係合部３６ｃに押されて時計方向へ回転され、係合部３６ｃが行き過ぎ、接触が断たれると、図示していないばねの付勢力によって反時計方向へ回転され、最後には、抑止部３６ｄに押されて再度時計方向へ回転させられることになる。しかしながら、第４解除部材にそのような不必要な作動を行なわせた場合には、耐久性の点においても、セットトルクが変動してしまうという点においても、決して好ましいものではなくなってしまう。そこで、本発明の場合、即ち本実施例の場合には、そのようなことがない好適な構成となっている。
【００４６】
ここで、第４解除部材２７のセット作動に関連する説明を終わり、第１セット部材１７のピン１７ｃによって行なわれている他の部材のセット作動を説明する。上記のようにして第２レリーズ盤３６の時計方向への回転が開始すると、第１レリーズ盤３４と駆動盤３５が反時計方向へ回転されていく。そして、先ず、第１レリーズ盤３４のカム面３４ｂと第２解除部材２１のピン２１ａとの接触位置が変化してゆき、第３解除部材２２を付勢している図示していないばねの付勢力によって、第３解除部材２２は反時計方向へ回転し、第２解除部材２１は時計方向へ回転していく。そして、それらの解除部材２１，２２の回転は、第３解除部材２２の当接部２２ｃがストッパ１２ｎに当接することによって停止させられるが、このとき、第３解除部材２２のピン２２ｂの動きに追従して、係止部材１９が図示していないばねの付勢力によって反時計方向へ回転され、折曲部１９ａを、先羽根用駆動部材２の係合部２ｃの作動軌跡内に臨ませる。
【００４７】
また、駆動盤３５は、その反時計方向への回転によって、ピン３５ｂが、トリガー部材３９の腕部３９ａを押し、図示していないばねの付勢力に抗して、トリガー部材３９を時計方向へ回転させ、腕部３９ｂを接点部材４０から離していく。そして、セット作動の最後には、駆動盤３５の係合部３５ａが係止部材３７の係止部３７ａによって係止され、セット状態が維持されるようになっている。
【００４８】
次に、上記と並行して、第１セット部材１７のピン１７ｄによって行なわれている方のセット作動を説明する。第１セット部材１７が時計方向へ回転を開始すると、そのピン１７ｄが被押動部１８ａを押して、第２セット部材１８を図示していないばねの付勢力に抗して反時計方向へ回転させる。それによって、先ず、第２セット部材１８の押動部１８ｂが被押動部２ａを押すことによって、図示していない先羽根用駆動ばねの付勢力に抗して先羽根用駆動部材２を時計方向へ回転させる。
【００４９】
この段階においては、未だ、第２セット部材１８の押動部１８ｃが後羽根用駆動部材３の被押動部３ａに接触していないため、先羽根群の図示していない４枚の羽根のみが、隣接する羽根同士の重なり量を小さくしつつ、開口部１ａの上方位置から下方へ移動していくことになる。そして、先羽根群のスリット形成羽根と、後羽根群のスリット形成羽根９との重なり量が所定量に達すると、第２セット部材１８の押動部１８ｃが後羽根用駆動部材３の被押動部３ａに接触する。従って、それ以後は、後羽根用駆動部材３も、図示していない後羽根用駆動ばねの付勢力に抗して、時計方向へ回転を開始し、隣接する羽根同士の重なり量を大きくさせつつ、後羽根群の羽根６，７，８，９を下方へ移動させていく。
【００５０】
そして、先羽根用駆動部材２の係合部２ｃが係止部材１９の係止部１９ａを一時的に押して係止され得る状態になり、また、後羽根用駆動部材３の折曲部３ｃが係止部材２３，２４の係止部２３ａ，２４ａを一時的に押して係止され得る状態になったとき、図示していないカメラ側の部材による第１セット部材１７の押圧力が解除される。そのため、第１セット部材１７と第２セット部材１８とは、夫々の図示していないばねの付勢力によって図２に示す位置に復帰するが、そのとき、先羽根用駆動部材２は係止部材１９に係止され、後羽根用駆動部材３は係止部材２４によって係止される。このようにして行われたセット作動の完了状態が図４及び図５に示されている。
【００５１】
尚、図示していないが、この状態においては、先羽根群の４枚の羽根が展開状態となって開口部１ａを覆っており、後羽根群の４枚の羽根６，７，８，９は重畳状態となって開口部１ａの下方位置に格納されている。また、この状態においては、後羽根用駆動部材３の折曲部３ｃが、係止部材２４の係止部２４ａに係止されていて、係止部材２３の係止部２３ａによっては係止されていないが、その理由は、以後の説明によって明らかになる。
【００５２】
次の撮影に際して、カメラのレリーズボタンが押されると、図５において、先ず、電磁石２５のコイル２５ｂに通電され、鉄片部材２８の鉄片部２８ａが鉄芯２５ａに吸着保持される。次に、カメラ本体側の図示していない部材が、係止部材３７の被押動部３７ｃを押して、図示していないばねの付勢力に抗して時計方向へ回転させ、係止部３７ａによる係合部３５ａの係止を解く。その結果、駆動盤３５は、図示していないばねの付勢力によって、第１レリーズ盤３４と共に時計方向へ回転し、第２レリーズ盤３６を反時計方向へ回転させていく。
【００５３】
そして、所定の回転位置で、先ず、第２レリーズ盤３６の抑止部３６ｄと第４解除部材２７の係止部２７ｂとの接触が解かれるが、既に鉄片部材２８が電磁石２５に吸着されているので、第４解除部材２７は、図示していないばねの付勢力によって、ばね２９（図１，図２参照）の圧縮されている分だけ、即ち鉄片部材２８の頭部２８ｃに接触するまで、極めて僅かに反時計方向へ回転させられるが、それ以上、回転させられてしまうようなことがない。その後、駆動盤３５のピン３５ｂが、トリガー部材３９の腕部３９ａに対する押圧を解くので、トリガー部材３９は、図示していないばねの付勢力によって反時計方向へ回転し、腕部３９ｂを接点部材４０に接触させる。その結果、この接触をトリガー信号として、露光時間制御回路が、露光制御秒時のカウントを開始する。
【００５４】
また、その前後から、第１レリーズ盤３４のカム面３４ｂが第２解除部材２１のピン２１ａを押してゆくので、第２解除部材２１は、第１解除部材２０の軸部２０ａにおいて反時計方向へ回転し、ピン２１ｂによって第３解除部材２２を時計方向へ回転させてゆき、第３解除部材２２のピン２２ｂが、係止部材１９の被押動部１９ｂを押してゆく。他方、その間、第２レリーズ盤３６も回転を続けており、最終段階に入ると、カム孔３６ｂのカム面が、係止部材２４の折曲部２４ｃを押し、係止部材２４を時計方向へ回転させ始める。そして、係止部材１９の係止部１９ａが、先羽根用駆動部材２の係合部２ｃから外れる瞬間の状態が、図６及び図７に示されているが、本実施例の場合には、この状態においても、未だ、係止部材２４の係止部２４ａが後羽根用駆動部材３の折曲部３ｃを係止している。
【００５５】
先羽根用駆動部材２は、このようにして係止部材１９による係止が解除されると、図示していない周知の先羽根用駆動ばねの付勢力によって、図６の状態から反時計方向へ急速に回転させられる。また、その直後には、第２レリーズ盤３６の回転によって、係止部材２４による後羽根用駆動部材３の係止が解除されるが、後羽根用駆動部材３は、ほんの僅か回転しただけで、今度は係止部材２３の係止部２３ａによって係止されてしまう。そのため、その段階では、先羽根用駆動部材２は露光作動を開始したものの、後羽根用駆動部材３は、未だ露光作動を行なえない状態となっている。そして、二つのレリーズ盤３４，３６と駆動盤３５の回転は、駆動盤３５の当接部３５ｃがストッパ１２ｔに当接することによって停止させられる。
【００５６】
従って、この段階では、先羽根用駆動部材２だけが反時計方向へ回転し、先羽根群の４枚の羽根が、隣接した羽根同士の重なり量を大きくしつつ上方へ移動し、スリット形成羽根のスリット形成縁によって開口部１ａを開放していく。そして、最後には、先羽根用駆動部材２の駆動ピン２ｂが、長孔１ｂの上端に取り付けられた図示していない周知の緩衝部材に当接することによって停止され、先羽根群の４枚の羽根は開口部１ａの上方位置に重畳状態となって格納されることになる。
【００５７】
このようにして、先羽根用駆動部材２が露光作動を開始してから所定時間が経過すると、露光時間制御回路による露光制御秒時のカウントが終了し、電磁石２５のコイル２５ｂに対する通電が断たれる。そのため、第４解除部材２７は、図示していないばねの付勢力によって反時計方向へ回転され、その押動部２７ａが係止部材２３の折曲部２３ｄを押す。その結果、係止部材２３は、図示していないばねの付勢力に抗して時計方向へ回転させられ、係止部２３ａが、後羽根用駆動部材３の折曲部３ｃの係止を解除する。その解除の瞬間の状態が図８及び図９に示されている。
【００５８】
後羽根用駆動部材３は、このようにして係止部材２３による係止が解かれると、図示していない周知の後羽根用駆動ばねの付勢力によって、反時計方向へ急速に回転させられる。それによって、後羽根群の４枚の羽根６，７，８，９は、隣接した羽根同士の重なり量を小さくしつつ上方へ移動し、スリット形成羽根９のスリット形成縁によって開口部１ａを閉鎖していく。そして、最後に、後羽根用駆動部材３は、駆動ピン３ｂが長孔１ｃの上端に取り付けられた図示していない緩衝部材に当接することによって停止され、それによって、後羽根群の４枚の羽根６，７，８，９が展開状態となって開口部１ａを覆うことにより、全ての構成部材は、図１〜図３に示された状態に復帰する。
【００５９】
ところで、上記のように露光時間を電気的に制御して撮影を行なう場合、一番問題となるのは、電池電圧が消耗して適正な露光時間が制御できなくなってしまうことである。最近のカメラは、殆どの場合、バッテリーチェッカーを備えているので、そのことを事前に察知できるようにはなっているが、電源スイッチを閉じたままで撮影を続けている場合などには、警告ランプの点灯に気付かず、つい無駄な撮影を続けてしまうことがある。その大きな原因の一つは、羽根群の作動音が聞こえているために、撮影者に対して安心感を与えてしまっていることである。そこで、本実施例においては、電池電圧が消耗した場合には、先羽根用駆動部材２も後羽根用駆動部材３も露光作動を行なわせないようにすることによって撮影者に対して異常事態を感知させ、そのような事態が生じた場合には、電池を交換するか、露光時間を機械的に制御させて撮影をするかの何れかの選択を促すようにしている。
【００６０】
そこで、次に、露光時間を電気的に制御して撮影する場合であって、電池電圧が消耗して露光時間を適正に制御できなくなった場合の作動を説明する。但し、この場合には、図１〜図３に示す状態から図４及び図５に示すセット完了状態までの作動は、上記の場合と全く同じであるから、重複を避けるために具体的な説明は省略する。図５において、カメラのレリーズボタンが押されると、先ず、電磁石２５のコイル２５ｂに通電される。しかし、この場合には電池電圧が基準値以下となっているので、鉄芯２５ａには、第４解除部材２７を反時計方向へ回転させるための図示していないばねの付勢力に抗してまでも、鉄片部２８ａを確実に保持するだけの吸着力は付与されていない。
【００６１】
次に、カメラ本体側の図示していない部材が、係止部材３７の被押動部３７ｃを押して、係止部材３７を時計方向へ回転させ、係止部３７ａによる係合部３５ａの係止を解く。それによって、駆動盤３５は、第１レリーズ盤３４と共に時計方向へ回転し、第２レリーズ盤３６を反時計方向へ回転させていく。そして、所定の回転位置で、第２レリーズ盤３６の抑止部３６ｄと第４解除部材２７の係止部２７ｂとの接触が解かれると、鉄片部材２８に対する電磁石２５の吸着力が十分でないため、第４解除部材２７は、図示していないばねの付勢力によって反時計方向へ回転する。そのため、第２レリーズ盤３６の回転は、その係合部３６ｃを係止部２７ｂに係止されて停止され、必然的に第１レリーズ盤３４と駆動盤３５の回転も停止させられる。そのときの状態が、図１０及び図１１に示されている。
【００６２】
この状態においては、第１レリーズ盤３４のカム面３４ｂが、未だ第２解除部材２１のピン２１ａを十分に押していないため、先羽根用駆動部材２は、係止部材１９によって確実に係止されたままである。また、第４解除部材２７の反時計方向への回転によって係止部材２３が時計方向へ回転され、係止部２３ａが折曲部３ｃの作動軌跡外へ移動させられているが、係止部材２４の折曲部２４ｃが、未だ第２レリーズ盤３６のカム孔３６ｂの縁に接触していないので、後羽根用駆動部材３も、係止部材２４によって確実に係止されたままである。従って、撮影者は、レリーズボタンを押したにもかかわらず、羽根群の作動音がしないので、異常を感じ取って、電池電圧の消耗状態を知り、電池を交換するか、露光時間を機械的に制御して次の撮影を行なうことになる。
【００６３】
しかし、何れの場合であっても、図１０及び図１１の状態から、何らかの方法によって図４及び図５のセット状態に復帰させる必要があるが、本実施例の場合には、第１セット部材１７を、再度、時計方向へ回転させることによって復帰させるようになっている。そして、各部材の復帰作動は、上記したセット作動に準じて行なわれるので、重複を避けるために具体的な説明を省略するが、その場合には、二つの問題点に配慮する必要がある。第１の問題点は、第１セット部材１７を、上記した図示していないカメラ本体側の部材で回転させると、フィルムが一コマ分無駄になってしまうことである。それを避けるためには、そのときだけ、その部材とフィルム巻き上げ機構との連動関係が断たれるようにするか、別の部材によって第１セット部材１７を回転させるようにする必要がある。
【００６４】
また、第２の問題点は、第１セット部材１７が時計方向へ回転すると、第４解除部材２７が時計方向へ回転し、折曲部２３ｄに対する押動部２７ａの押圧力が解かれるため、係止部材２３が、図示していないばねの付勢力によって反時計方向へ回転することになるが、このとき、係止部材２３の係止部２３ａが、後羽根用駆動部材３の折曲部３ｃの作動軌跡内にスムーズに入っていくような構成になっていなければならないことである。その理由は、もし、スムーズに入っていかない構成になっていると、電池交換後の撮影に際して、係止部材２４による係止が解除されたとき、即ちコイル２５ｂに対する通電が断たれる前に、後羽根用駆動部材３が露光作動を開始してしまい、適正な露光時間が得られなくなってしまうからである。
【００６５】
そこで、本実施例の場合には、既に説明したように、後羽根用駆動部材３は、セット状態から係止部材２４による係止を解かれると、僅かに回転した位置で係止部材２３によって再度係止され、その後にその係止を解かれて露光作動を行なうようにしている。即ち、係止部材２３による係止位置と係止部材２４による係止位置とが若干ずれている。そのため、二つの係止部材２３，２４が同軸上に取り付けられていても、係止部材２３が、図１０に示された状態から図４に示された状態に復帰するとき、係止部２３ａが、後羽根用駆動部材３の折曲部３ｃの作動軌跡内にスムーズに入れるようになっている。
【００６６】
次に、露光時間を機械的に制御して撮影する場合の作動を説明するが、その前に、露光時間を電気的に制御するモードと機械的に制御するモードとの切換え操作について説明する。本実施例は、その切換え操作を、セット状態においても行なえるし、露光作動終了直後の状態においても行なうことができる。即ち、シャッタ機構が作動している最中でなければ、いつでも切換えが可能となっている。そこで、先ず、露光時間を電気的に制御するモードから機械的に制御するモードへ切り換える場合について説明する。その場合には、露光作動終了直後の状態を示す図３と、セット完了状態を示す図５との何れかにおいて、夫々、カム盤３０と切換盤３１とを時計方向へ回転させ、切換部材３２の指部３２ａを、凹部３１ａとの接触状態から、外周面に乗り上げた状態にする。
【００６７】
それによって、切換操作部材３３は上方へ移動し、押動部３３ａが、第４解除部材２７の被押動部２７ｄを上方へ押し上げ、折曲部３３ｂが、係止部材２３の折曲部２３ｃを上方へ押し上げる。そのため、第４解除部材２７の係止部２７ｂは、第２レリーズ盤３６とは全く接触しないようにさせられ、係止部材２３の係止部２３ａは、後羽根用駆動部材３の折曲部３ｃの作動軌跡内に絶対に入らないようにさせられる。その結果、後羽根用駆動部材３は、撮影時において、駆動盤３５に対する係止部材３７の係止が解除されると、常に所定時間経過後に、係止部材２４による係止を解かれた段階で、露光作動を開始することになる。
【００６８】
また、逆に、そのような露光時間を機械的に制御するモードから電気的に制御するモードに切り換える場合には、切換盤３１に対し上記とは全く逆の操作をする。それによって、第４解除部材２７の反時計方向の回転は、セット状態で切り換えたときには僅かであって、係止部２７ｂが第２レリーズ盤３６の抑止部３６ｄに当接して停止し、また、露光作動終了直後の状態で切り換えたときには、その回転によって押動部２７ａが折曲部２３ｄを押し、係止部材２３の当接部２３ｅが軸１ｈに当接することによって停止する。また、セット状態において切り換えた場合における係止部材２３の反時計方向の回転は、当接部２３ｂが軸１ｇの大径部に当接して停止するが、その場合には、既に説明した理由によって、係止部２３ａが、後羽根用駆動部材３の折曲部３ｃの作動軌跡内にスムーズに入り込むようになっている。このように、本実施例の場合には、露光作動終了直後の状態とセット状態において、何の制約を受けることもなく、切換え操作が行なえるようになっている。
【００６９】
そこで、露光時間を機械的に制御する場合の作動を説明するが、これまでの説明からその概要が可成り明らかとなっているので、簡単に説明することにする。既に述べたように、このモードで撮影する場合には、切換部材３２と切換操作部材３３は、図１３に示す位置を占め、係止部材２３と第４解除部材２７とは、その他の機構と完全に切り離された状態となっている。従って、このモードで行なう作動の場合には、上記の電気的に制御するモードの作動説明において、それらの部材２３，２７と電磁石２５の存在を全く考慮に入れなければよいことになる。そして、図１３においては、図５の場合に比較して、カム盤３０と切換盤３１とが時計方向へ回転されているが、第１解除部材２０の規制ピン２０ｂは、依然として、カム面３０ａの一番低い面（軸１２ｄからの寸法が一番小さい面）に接しており、規制ピン２０ｂのこの位置が、このモードで撮影する場合の最高速の制御位置となっている。
【００７０】
従って、撮影時においては、係止部材１９による先羽根用駆動部材２の係止解除は、上記の露光時間を電気的に制御するモードの場合と全く同じようにして、駆動盤３５の係止が解除されてから同じタイミングで行なわれる。しかし、後羽根用駆動部材３の露光作動の開始は、上記の場合とは全く違う方法で行なわれる。即ち、上記したように、このモードの場合には、係止部材２３の係止部２３ａは、最初から、後羽根用駆動部材３の折曲部３ｃの作動軌跡内には臨んでいない。そのため、後羽根用駆動部材３は、係止部材２４による係止が解除された瞬間から、露光作動を開始することになる。そのように、後羽根用駆動部材３の係止を解除する瞬間が、図１２及び図１３に示されている。
【００７１】
以上が、露光時間を機械的に制御するモードにおいて、最高速で撮影する場合の作動説明であるが、次に、このモードにおける露光時間の選択方法を説明する。既に説明したように、本実施例においては、撮影時において、駆動盤３５が時計方向へ回転を開始してから、第２レリーズ盤３６が係止部材２４の折曲部２４ｃを押し、後羽根用駆動部材３の係止を解除させるまでの時間は、常に同じである。また、図１２及び図１３に示された状態は、最高速の場合であることも説明した。従って、図１２及び図１３に示された状態よりも露光時間を長くする（低速にする）ためには、先羽根用駆動部材２の係止解除を、上記の場合よりは早く行なわせる必要がある。即ち、駆動盤３５の係止が解除されてから、先羽根用駆動部材２の係止が解除されるまでの時間を短くさせる必要がある。
【００７２】
そこで、本実施例においては、そのようにしたい場合、カム盤３０と切換盤３１を、図１３に示された状態よりも更に時計方向へ回転せるようにする。上記したように、図１３は、第１解除部材２０の規制ピン２０ｂが、カム面３０ａの一番低い面（軸１２ｄからの寸法が一番小さい面）に接している。しかしながら、カム盤３０のカム面３０ａには、軸１２ｄからの寸法が徐々に大きくなる複数の面が形成されているから、図１３に示された状態からカム盤３０が時計方向へ回転させられると、カム面３０ａに接触させられている規制ピン２０ｂと軸１２ｄとの距離が大きくなる。
【００７３】
このことは、例えば図４において、第１解除部材２０が、図示していないばねの付勢力に抗して反時計方向へ回転させられ、第２解除部材２１のピン２１ｂと、第３解除部材２２を取り付けている軸１２ｇとの距離を大きくすることにほかならない。即ち、もしも、このとき、第２解除部材２１のピン２１ａの位置が変わらないとすれば、ピン２１ａが第１レリーズ盤３４のカム面３４ｂによって押され、第３解除部材２２のピン２２ｂによって係止部材１９の被押動部１９ｂを押すタイミングは、上記の最高速の場合より遅くなってしまうことになる。
【００７４】
しかしながら、本実施例の場合には、規制ピン２０ｂがカム盤３０のカム面３０ａによって押されたとき、第２解除部材２１のピン２１ｂの位置と同様に、ピン２１ａの位置も略下方へ移動していくことになるので、撮影時において、ピン２１ａが、第１レリーズ盤３４のカム面３４ｂによって押され始めるタイミングが早くなり、全体的には、第２解除部材２２のピン２２ｂによって、係止部材１９の被押動部１９ｂを押すタイミングが早くなるようにしている。従って、露光時間は、的確に長くなるようになっている。
【００７５】
尚、このように、第１レリーズ部材３４のカム面３４ｂによって第２解除部材２１のピン２１ａを押すタイミングを変えるようにせず、最高速の場合よりも長い露光時間を制御するようにすることも可能である。その場合には、第１解除部材２０の規制ピン２０ｂと軸１２ｄとの距離を、本実施例の場合とは逆に、短くしていくことになる。即ち、具体的には、第１解除部材２０を図示していないばねによって反時計方向へ回転するように付勢させ、且つカム盤３０のカム面３０ａの向きを逆に軸１２ｄ側に向け、セット状態においては第２解除部材２１のピン２１ａが、図３に示す孔１２ｍの下端に接触しているようにすればよいことになる。
【００７６】
また、本実施例においては、第１レリーズ盤３４と、駆動盤３５と、第２レリーズ盤３６とは、常に連動して回転するものである。従って、係止部材３７は、駆動盤３５を係止するのではなく、二つのレリーズ盤３４，３６の何れか一方を係止するようにしてもよく、セット部材１７は、第１レリーズ盤３４と駆動盤３５の何れか一方を回転させるようにしても差し支えない。更に、同じようなことが他の機能についても言える。即ち、第２解除部材２１のピン２１ａを押すのは、第１レリーズ盤３４に限るものではなく、また、トリガー部材３９を操作するのは、駆動盤３５に限らないし、更には、係止部材２４と第４解除部材２７をそれらの習性に抗して作動させるのは第２レリーズ盤３６に限るものではない。要するに、極端な場合、三者３４，３５，３６は一つの部材であっても差し支えないものであり、請求項の記載においては、これらを総称してレリーズ手段と称している。
【００７７】
更に、上記した露光時間を電気的に制御するモードの説明においては、その露光時間が、自動的に決定されるものか、手動で選択されるものかについて明言しなかったが、カメラの仕様によっては、どちらか一方だけを採用するようにしても構わないし、両方を選択的に使えるようにしても一向に差し支えない。また、上記の実施例においては、露光時間を機械的に制御するモードの場合、複数の露光時間の一つを、撮影の都度、選択できるようにしているが、一つの露光時間だけに限定されてしまうように構成しても構わない。
【００７８】
【発明の効果】
以上のように、本発明は、撮影に際して、後羽根用駆動部材の係止だけを、電磁石に対する通電のオフ信号で作動する解除部材によって解くようにしたフォーカルプレンシャッタにおいて、電池電圧が消耗して適正な露光時間を制御できない場合には、その電磁石による吸着保持力を検出信号として、上記の解除部材が所定のタイミングより早く作動して、先羽根用駆動部材の係止を解除すべく作動している部材を停止させるようにしたから、撮影者に対して電池電圧の消耗状態を確実に認識させることが可能であるほか、上記の解除部材をセットする構成が、耐久性の点からも機能的な点からも優れたものとなっている。また、露光時間を電気的に制御するモードと機械的に制御するモードとを選択して撮影することの可能なシャッタに採用すると、複雑な全体構成をコンパクトにまとめることができるという特徴を有している。
【図面の簡単な説明】
【図１】実施例の一部の構成を被写体側から視た平面図であって、露光時間を電気的に制御して露光作動を終了した直後の状態を示したものである。
【図２】主に、シャッタ地板と、シャッタ地板の被写体側にある支持板との間に配置された構成を示している実施例の平面図であって、露光時間を電気的に制御して露光作動を終了した直後の状態を示したものである。
【図３】主に、支持板の被写体側に配置されている構成を示した実施例の平面図であって、図２と同様に、露光時間を電気的に制御して露光作動を終了した直後の状態を示したものである。
【図４】図２と略同じようにして視た実施例の平面図であって、図２に示した状態からセット作動を完了した状態を示したものである。
【図５】図３と同じようにして視た実施例の平面図であって、図３に示した状態からセット作動を完了した状態を示したものである。
【図６】図４と同じようにして視た実施例の平面図であって、図４に示した状態の後、先羽根用駆動部材が露光作動を開始する瞬間の状態を示したものである。
【図７】図５と同じようにして視た実施例の平面図であって、図５に示した状態の後、先羽根用駆動部材が露光作動を開始する瞬間の状態を示したものである。
【図８】図６と同じようにして視た実施例の平面図であって、図６に示した状態の後、後羽根用駆動部材が露光作動を開始する瞬間の状態を示したものである。
【図９】図７と同じようにして視た実施例の平面図であって、図７に示した状態の後、後羽根用駆動部材が露光作動を開始する瞬間の状態を示したものである。
【図１０】図４と同じようにして視た実施例の平面図であって、図４に示した状態の後、撮影をしようとしても電池が消耗しているために、先羽根用駆動部材と後羽根用駆動部材をロックした状態を示したものである。
【図１１】図５と同じようにして視た実施例の平面図であって、図５に示した状態の後、撮影をしようとしても電池が消耗しているために、先羽根用駆動部材と後羽根用駆動部材をロックした状態を示したものである。
【図１２】図６と同じようにして視た実施例の平面図であって、露光時間を機械的に制御する場合に、後羽根用駆動部材が露光作動を開始する瞬間の状態を示したものである。
【図１３】図９と同じようにして視た実施例の平面図であって、露光時間を機械的に制御する場合に、後羽根用駆動部材が露光作動を開始する瞬間の状態を示したものである。
【符号の説明】
１                          シャッタ地板
１ａ                        開口部
１ｂ，１ｃ，１２ｊ，２２ａ，３３ｃ  長孔
１ｄ，１ｅ，１ｆ，１ｇ，１ｈ，１ｉ，１ｊ，１ｋ，１ｍ，１ｎ，１ｐ，１ｑ，１ｒ，１２ａ，１２ｂ，１２ｃ，１２ｄ，１２ｅ，１２ｆ，１２ｇ，１２ｈ，１２ｉ，１６ａ，３８  軸
２                          先羽根用駆動部材
２ａ，３ａ，１７ａ，１８ａ，１９ｂ，２７ｄ，３６ｅ，３７ｃ  被押動部
２ｂ，３ｂ                  駆動ピン
２ｃ，３５ａ，３６ｃ        係合部
３                          後羽根用駆動部材
３ｃ，１９ａ，２３ｃ，２３ｄ，２４ｃ，３３ｂ  折曲部
４，５，１０，１１          アーム
６，７，８，９              羽根
１２                        支持板
１２ｋ，１２ｍ，１２ｐ，１２ｑ，２５ｃ  孔
１２ｎ，１２ｔ              ストッパ
１２ｒ，１２ｓ，１７ｃ，１７ｄ，２１ａ，２１ｂ，２２ｂ，３５ｂ  ピン
１３，１４，１５，２６      ビス
１４ａ                      円筒部
１６                        取付け板
１７                        第１セット部材
１７ｂ，１８ｂ，１８ｃ，２７ａ，３３ａ  押動部
１８                        第２セット部材
１９，２３，２４、３７      係止部材
２０                        第１解除部材
２０ａ，２８ｂ，３２ｂ      軸部
２０ｂ                      規制ピン
２１                        第２解除部材
２２                        第３解除部材
２２ｃ，２３ｂ，２３ｅ，２４ｂ，３５ｃ，３７ｂ  当接部
２３ａ，２４ａ，２７ｂ，３７ａ  係止部
２５                        電磁石
２５ａ                      鉄芯
２５ｂ                      コイル
２５ｄ                      ねじ孔
２７                        第４解除部材
２７ｃ                      凹部
２８                        鉄片部材
２８ａ                      鉄片部
２８ｃ                      頭部
２９                        ばね
３０                        カム盤
３０ａ，３４ｂ              カム面
３１                        切換盤
３１ａ                      凹面
３２                        切換部材
３２ａ                      指部
３３                        切換操作部材
３４                        第１レリーズ盤
３４ａ，３６ａ              歯部
３５                        駆動盤
３６                        第２レリーズ盤
３６ｂ                      カム孔
３６ｄ                      抑止部
３９                        トリガー部材
３９ａ，３９ｂ              腕部
４０                        接点部材
４０ａ                      偏心軸
【図１】
0004416907.tif 000002
【図２】
0004416907.tif 000003
【図３】
0004416907.tif 000004
【図４】
0004416907.tif 000005
【図５】
0004416907.tif 000006
【図６】
0004416907.tif 000007
【図７】
0004416907.tif 000008
【図８】
0004416907.tif 000009
【図９】
0004416907.tif 000010
【図１０】
0004416907.tif 000011
【図１１】
0004416907.tif 000012
【図１２】
0004416907.tif 000013
【図１３】
0004416907.tif 000014